(57)【特許請求の範囲】
【請求項１】
１乃至複数の基地局と、各基地局との間で無線によりデータの送受信を行う複数の移動局とを有するデータ送受信システムにおいて、
各移動局に設けられ、移動局固有のＩＤデータを記憶するＩＤ記憶手段と、
各基地局に設けられ、ＩＤデータ送信指令を送信する呼出手段と、
各移動局に設けられ、上記ＩＤデータ送信指令を受信した際に上記ＩＤデータを送信する応答手段と、
各基地局に設けられ、上記送信されたＩＤデータを受信する受信手段と、
各基地局に設けられ、受信したＩＤデータを記憶する認証ＩＤ記憶手段と、
各基地局に設けられ、上記認証ＩＤ記憶手段に記憶されたＩＤデータの移動局を周期的に呼び出す点呼呼出手段と、
各移動局に設けられ、上記点呼呼出に応じて返答する点呼応答手段とを設け、
上記基地局は、上記受信したＩＤデータとともにデータの送受信を行い、
上記認証ＩＤ記憶手段は、空き領域が無ければ、上記応答がないと判断したＩＤデータに新たに受信したＩＤデータを上書きするデータ送受信システム。
【請求項２】
１乃至複数の基地局と、各基地局との間で無線によりデータの送受信を行う複数の移動局とを有するデータ送受信システムにおいて、
各移動局に設けられ、移動局固有のＩＤデータを記憶するＩＤ記憶手段と、
各基地局に設けられ、ＩＤデータ送信指令を送信する呼出手段と、
各移動局に設けられ、基地局からの移動局固有のＩＤデータとともにデータを受信した際に状態が変化する認証フラグと、
各移動局に設けられ、上記ＩＤデータ送信指令を受信した際に認証フラグの状態が変化していなければ、上記ＩＤデータを送信する応答手段と、
各基地局に設けられ、上記送信されたＩＤデータのうち最も信号レベルの高いものを受信する受信手段と、
各基地局に設けられ、受信したＩＤデータを記憶する認証ＩＤ記憶手段と、
各基地局に設けられ、上記認証ＩＤ記憶手段に記憶されたＩＤデータの移動局を周期的に呼び出す点呼呼出手段と、
各移動局に設けられ、上記点呼呼出に応じて返答する点呼応答手段とを設け、
上記基地局は、上記呼出手段、上記受信手段および上記認証ＩＤ記憶手段を周期的に動作させつつ、上記認証ＩＤ記憶手段に記憶されたＩＤデータとともにデータの送受信を行い、
上記認証ＩＤ記憶手段は、空き領域が無ければ、上記応答がないと判断したＩＤデータに新たに受信したＩＤデータを上書きするデータ送受信システム。
【請求項３】
各基地局に設けられ、認証ＩＤ記憶手段から削除されるＩＤデータの抹消信号を送信する抹消通知手段と、
各移動局に設けられ、自分宛ての上記抹消信号を受信した際に認証フラグの状態を戻すリセット手段とを設けたことを特徴とする請求項１又は請求項２記載のデータ送受信システム。
【発明の詳細な説明】
【０００１】
【発明の属する技術分野】
この発明は、１乃至複数の基地局と、各基地局との間で無線によりデータの送受信を行う複数の移動局とを有するデータ送受信システムに係り、詳しくは、リフト券管理システムや工場内自動搬送システムに適用した場合に、移動局との間で個別にデータ送受信が可能となるための改良に関するものである。
【０００２】
【従来の技術】
図１８はリフト券管理システムや工場内自動搬送システムに適用される従来のデータ送受信システムを示す構成概念図である。図において、１はリーダライタ、２はこのリーダライタ１との間で無線によりデータの送受信を行うタグ、２０はリーダライタ１のデータ送受信可能エリア（通信可能エリア）である。
【０００３】
次に動作について説明する。
タグ２がリーダライタ１のデータ送受信可能エリア２０内に移動してくると、このリーダライタ１はそのタグ２の進入を認識して、このタグ２との間でデータ送受信を行う。
【０００４】
【発明が解決しようとする課題】
従来のデータ送受信システムは以上のように構成されているので、リーダライタ１のデータ送受信可能エリア２０内に複数のタグ２，２，…が同時に進入してきた場合には、これらの複数のタグ２，２，…全てと同一のデータ送受信をしてしまうことになる。従って、例えば、リフト券管理システムに適用した場合には、１人のスキーヤが複数枚のリフト回数券（タグ２，２，…）を持っていた場合には、その全ての回数券（タグ２，２，…）に対して同一のデータ送受信がなされて同時に複数の回数減算処理が行われてしまったり、工場内自動搬送システムに適用した場合には、各自動搬送車（タグ２，２，…）に対して異なる移動制御を行わなければならないのにも拘わらず、その全ての自動搬送車（タグ２，２，…）に対して同一のデータ送受信がなされて同一の移動制御がなされてしまったり、あるいはタグ２，２，…からの返信が混信してしまい通信が成立しないなどという課題があった。
なお、従来のデータ送受信システムでは、このような問題の発生をさけるためには、各データ送受信可能エリア２０には必ず１つのタグ２のみが存在するように運用しなければならなかった。
【０００５】
この発明は上記のような課題を解決するためになされたもので、基地局（リーダライタ）の通信可能エリア内に複数の移動局（タグ）が同時に存在したとしても、それぞれに対して別々のデータを送受信することができるデータ送受信システムを得ることを目的とする。
【０００６】
【課題を解決するための手段】
この発明に係るデータ送受信システムは、１乃至複数の基地局と、各基地局との間で無線によりデータの送受信を行う複数の移動局とを有するデータ送受信システムにおいて、各移動局に設けられ、移動局固有のＩＤデータを記憶するＩＤ記憶手段と、各基地局に設けられ、ＩＤデータ送信指令を送信する呼出手段と、各移動局に設けられ、上記ＩＤデータ送信指令を受信した際に上記ＩＤデータを送信する応答手段と、各基地局に設けられ、上記送信されたＩＤデータを受信する受信手段と、各基地局に設けられ、受信したＩＤデータを記憶する認証ＩＤ記憶手段と、各基地局に設けられ、上記認証ＩＤ記憶手段に記憶されたＩＤデータの移動局を周期的に呼び出す点呼呼出手段と、各移動局に設けられ、上記点呼呼出に応じて返答する点呼応答手段とを設け、上記基地局は、上記受信したＩＤデータとともにデータの送受信を行い、上記認証ＩＤ記憶手段は、空き領域が無ければ、上記応答がないと判断したＩＤデータに新たに受信したＩＤデータを上書きするものである。
【０００７】
この発明に係るデータ送受信システムは、１乃至複数の基地局と、各基地局との間で無線によりデータの送受信を行う複数の移動局とを有するデータ送受信システムにおいて、各移動局に設けられ、移動局固有のＩＤデータを記憶するＩＤ記憶手段と、各基地局に設けられ、ＩＤデータ送信指令を送信する呼出手段と、各移動局に設けられ、基地局からの移動局固有のＩＤデータとともにデータを受信した際に状態が変化する認証フラグと、各移動局に設けられ、上記ＩＤデータ送信指令を受信した際に認証フラグの状態が変化していなければ、上記ＩＤデータを送信する応答手段と、各基地局に設けられ、上記送信されたＩＤデータのうち最も信号レベルの高いものを受信する受信手段と、各基地局に設けられ、受信したＩＤデータを記憶する認証ＩＤ記憶手段と、各基地局に設けられ、上記認証ＩＤ記憶手段に記憶されたＩＤデータの移動局を周期的に呼び出す点呼呼出手段と、各移動局に設けられ、上記点呼呼出に応じて返答する点呼応答手段とを設け、上記基地局は、上記呼出手段、上記受信手段および上記認証ＩＤ記憶手段を周期的に動作させつつ、上記認証ＩＤ記憶手段に記憶されたＩＤデータとともにデータの送受信を行い、上記認証ＩＤ記憶手段は、空き領域が無ければ、上記応答がないと判断したＩＤデータに新たに受信したＩＤデータを上書きするものである。
【００１１】
この発明に係るデータ送受信システムは、各基地局に設けられ、認証ＩＤ記憶手段から削除されるＩＤデータの抹消信号を送信する抹消通知手段と、各移動局に設けられ、自分宛ての上記抹消信号を受信した際に認証フラグの状態を戻すリセット手段とを設けたものである。
【００１２】
【発明の実施の形態】
以下、この発明の実施の一形態を説明する。
実施の形態１．
図１はこの発明の実施の形態１によるデータ送受信システムの構成を示すブロック図である。１はリーダライタ（基地局）、２はリーダライタ１との間で無線によりデータの送受信を行うタグ（移動局）である。
【００１３】
リーダライタ１において、３はデータの送受信に用いる搬送波を生成する発振器、４はこの搬送波でタグ２への制御データを変調するリーダライタ変調部、５はアンテナを有し、変調された制御データをこのアンテナから質問電波として無線送信するリーダライタ送信部、６はアンテナを有し、タグ２からの応答電波をこのアンテナで受信するリーダライタ受信部、７は応答電波をフィルタリングするフィルタ、８は応答電波を復調して応答データを生成するリーダライタ復調部、９は認証したタグ２のＩＤデータなどを記憶するリーダライタメモリ（認証ＩＤ記憶手段）、１０は以上の各部１，…，９の動作を制御して、上記リーダライタメモリ９にＩＤデータが記憶されたタグ２に対する制御データの生成や応答データの解析などを行うリーダライタ制御部である。
【００１４】
タグ２において、１１は上記質問電波を受信するタグ受信部、１２は質問電波を復調して制御データを再生するタグ復調部、１３はＩＤデータを含む各種のタグデータを記憶するタグメモリ（ＩＤ記憶手段）、１４は上記復調した制御データに基づいてこのタグメモリ１３に記憶されたタグデータを変更したり、タグメモリ１３に記憶されたタグデータを応答データとして生成するタグ制御部、１５はこの応答データを変調するタグ変調部、１６は変調された応答データを上記応答電波として送信するタグ送信部、１７はタグ受信部１１に受信された質問電波の電力の一部から直流電圧を生成する整流回路、１８はこの直流電圧を以上の各部１１，…，１７に動作電力として供給する電源部、１９は上記直流電圧を蓄積する電源用コンデンサである。
【００１５】
図２はこの発明の実施の形態１によるリーダライタメモリ９に記憶される認証テーブルを示すテーブル説明図である。同図に示すように、認証テーブルは、認証ナンバーに対応づけて各ＩＤデータを順次格納するものであり、ここでは合計ｎ個のＩＤデータを記憶することができるようになっている。
【００１６】
図３はこの発明の実施の形態１によるタグメモリ１３に記憶されるタグデータを示す説明図である。同図に示すように、タグデータは、各タグに固有のＩＤデータ、タグの製造年月日、ライトプロテクト設定、認証フラグ、その他の情報からなるタグ管理データと、タグに対応づけられた使用者（使用物）のユーザ使用情報とからなる。
【００１７】
次に動作について説明する。
図４はこの発明の実施の形態１によるリーダライタ１の動作を示すメインフローチャートである。図において、ＳＴ１はタグ２の認証フラグをクリアするコマンドを制御データとした質問電波を無線送信する認証フラグ一斉クリアステップであり、ＳＴ２は認証テーブルに記憶されているＩＤデータの点呼を行う点呼処理ステップであり、ＳＴ３は新たに認証テーブルに記憶するＩＤデータの認証を行う認証処理ステップであり、ＳＴ４はこの認証テーブルに記憶された各ＩＤデータと共にデータの送受信を行うユーザ処理ステップであり、ＳＴ５はアンテナ検出を行うアンテナ検出ステップである。そして、この実施の形態１では、この一連の動作が１０〜１００ｍｓ周期で繰り返されるように設定した。
【００１８】
図５はこの発明の実施の形態１によるリーダライタ１の点呼処理ステップＳＴ２の詳細なフローを示す点呼処理サブフローチャートである。図において、ＳＴ６は最初に点呼する認証ナンバー（ここでは「１」）を設定する点呼初期設定ステップであり、ＳＴ７は全ての認証ナンバーについて（ここでは「ｎ」まで）点呼が完了したか否かを判断する点呼終了確認ステップであり、ＳＴ８は設定されている認証ナンバーにＩＤデータが登録されているか否かを判断する登録判断ステップであり、ＳＴ９は当該ＩＤデータとともに点呼コマンドを送信する点呼呼出ステップであり、ＳＴ１０はこのＩＤデータに係る点呼コマンドに対する応答があったか否かを判断する点呼応答判断ステップであり、ＳＴ１１は応答が無い場合に当該点呼に係るＩＤデータを削除するとともに、その削除に係るＩＤデータとともに認証フラグをクリアするコマンドを無線送信する抹消ステップであり、ＳＴ１２は認証ナンバーをインクリメント（デクリメント）する認証ナンバー更新ステップである。
【００１９】
図６はこの発明の実施の形態１によるリーダライタの認証処理ステップの詳細なフローを示す認証処理サブフローチャートである。図において、ＳＴ１３は認証テーブルに空きがあるか否かを判断する認証テーブル空き判断ステップであり、ＳＴ１４はタグに対してＩＤデータ送信を要求する認証コマンドを送信する認証呼出ステップであり、ＳＴ１５はこの認証呼出コマンドに対する応答があったか否かを判断する認証応答判断ステップであり、ＳＴ１６は新たに応答されたＩＤデータを認証テーブルに登録する登録ステップである。
【００２０】
図７はこの発明の実施の形態１によるタグの動作を示すフローチャートである。図において、ＳＴ１７は認証フラグをリセット（クリア）する（未認証状態に設定する）認証フラグクリアステップであり、ＳＴ１８は制御データ（コマンド）の受信を待つ受信待ちステップであり、ＳＴ１９は制御データ（コマンド）が認証フラグクリアコマンドであるか否かを判断する認証フラグクリアコマンド判断ステップであり、ＳＴ２０は制御データ（コマンド）が認証コマンドであるか否かを判断する認証コマンド判断ステップであり、ＳＴ２９は受信したＩＤデータが一斉通報のものであるか、あるいは、自己のＩＤデータであるかを判断する自宛判断ステップであり、ＳＴ２１は認証フラグをセットする認証フラグセットステップであり、ＳＴ２２は認証フラグの設定状態を判断するフラグ設定判断ステップであり、ＳＴ２３は制御データ（コマンド）に応じた応答データを送信する応答ステップである。
【００２１】
図８から図１０はこのようなリーダライタとタグとの間における認証／点呼動作を説明する動作説明図である。これらの図において、（ａ）はリーダライタとタグとの位置関係を示し、（ｂ）はその位置関係における認証テーブルの状態を示す。そして、２０はリーダライタ１のデータ送受信可能エリア２０（通信可能エリア）、２１は認証コマンドを送信する質問電波、２２はこの認証コマンドに応じて第一のタグ２が第一のＩＤデータを返信する応答電波、２３はこの第一のＩＤデータの点呼コマンドを送信する質問電波、２４はこの点呼コマンドに応じて点呼応答を返信する応答電波、２５は認証コマンドを送信する質問電波、２６はこの認証コマンドに応じて新たにデータ送受信可能エリアに進入してきた第二のタグ２が第二のＩＤデータを返信する応答電波である。このようにして、複数のタグ２，…，２が認証テーブルに登録され、この認証テーブルに基づいてリーダライタ１は各タグ２，…，２との間でデータの送受信を行うことができる。
【００２２】
図１１はこの発明の実施の形態１のデータ送受信システムにおいて、リーダライタ１におけるＩＤデータの検波動作を説明する動作説明図である。図において、（ａ）はリーダライタ１に近接する位置に１つのタグ２がある場合の検波動作であり、（ｂ）はリーダライタ１から離間する位置に１つのタグ２がある場合の検波動作であり、（ｃ）はリーダライタ１に近接する位置と離間する位置とにそれぞれタグ２，２がある場合の検波動作である。そして、リーダライタ１は、タグ２からのＩＤデータを含む応答電波を全検波し、その最大検波レベルの略中間レベルにデータ判定レベルを設定することにより、複数のＩＤデータのうち最も信号レベルの高いものを検波（受信）することができる（同図第２段から第４段を参照）。
【００２３】
図１２はこの発明の実施の形態１によるデータ送受信システムの適用例を示す説明図である。同図において、２７はリフトゲート、２８はリフトゲート２７側面に設置されたアンテナ、２９はリフトゲート２７内に設置されたリーダライタ、３０はリフトゲート２７脇を通過するスキーヤが保持するスノーパスホルダであり、タグ２はこのスノーパスホルダ３０内にスノーパスとして格納されている。そして、この実施の形態１のデータ送受信システムであれば、このスキーヤが複数のスノーパス（タグ２，２，…）をスノーパスホルダ３０内に保持していたとしても、リーダライタ２９はその複数のパス（タグ２，２，…）のＩＤデータを順次登録し、その一つのみとデータ送受信することができるので、一つのスノーパス（タグ２，２，…）のみにおいて回数減算を実行させることができる。なお、このとき、残り回数の少ないものから減算するようにすると好適である。
【００２４】
以上のように、この実施の形態１によれば、各タグ２に設けられ、タグ２固有のＩＤデータを記憶するタグメモリ１３と、各リーダライタ１に設けられ、認証コマンドを送信する呼出手段と、各タグ２に設けられ、基地局からの移動局固有のＩＤデータとともにデータを受信した際にセットされる認証フラグと、各タグ２に設けられ、上記認証コマンドを受信した際に既に認証フラグがセットされていなければ、上記ＩＤデータを返信する応答手段と、各リーダライタ１に設けられ、上記返信されたＩＤデータのうち最も信号レベルの高いものを受信検波する受信手段と、各リーダライタ１に設けられ、受信したＩＤデータを記憶するリーダライタメモリ９とを設け、リーダライタ１は上記呼出手段、受信手段およびリーダライタメモリ９による認証動作と、リーダライタメモリ９に基づくデータ送受信動作とを交互に繰り返して行うので、リーダライタ１はタグ２との間でそれ固有のＩＤデータとともにデータの送受信を行うことができ、タグ２と個別にデータ送受信を行うことができる。従って、例えば、リーダライタ１のデータ送受信可能エリア２０内に複数のタグ２，２，…が同時に存在したとしても、それぞれに対して別々のデータを送受信することができ、また、移動局からの返信が混信してしまうこともない効果がある。
【００２５】
また、複数のタグ２，２，…がデータ送受信可能エリア２０に存在したとしても、リーダライタメモリ９には各認証動作において１つのＩＤデータのみを検波して記憶することになるので、各回の認証動作にかかる時間を最低限に抑えることができる。これとともに、一旦認証されたタグ２はＩＤデータを再度送信することがないので、データ送受信可能エリア２０に存在する複数のタグ２，２，…のＩＤデータは順次リーダライタメモリ９に記憶されることになり、最終的にはデータ送受信可能エリア２０に存在する全てのタグ２，２，…のＩＤデータを記憶して個別にデータ送受信を行うことができる効果がある。そして、特に、リフト券管理システムや工場内自動搬送システムに適用した場合のように、移動局（スキーヤ、自動搬送車）の移動速度が遅い場合には、その通過中にＩＤデータの認証ができないなどの不都合を生じること無く、これらの効果を得ることができる。
【００２６】
この実施の形態１によれば、各リーダライタ１に設けられ、リーダライタメモリ９に記憶されたＩＤデータのタグを周期的に呼び出す点呼呼出手段と、各タグ２に設けられ、上記点呼呼出に応じて返答する点呼応答手段と、各リーダライタ１に設けられ、上記応答がないと判断した場合にはリーダライタメモリ９から当該ＩＤデータを削除する抹消手段とを設けたので、リーダライタ１のデータ送受信可能エリア２０から脱出したタグ２に関する余分なＩＤデータを削除することができ、例えばこの点呼周期に相当する期間あたりにデータ送受信可能エリア２０内に進入可能なタグ２，２，…を記憶できる程度の記憶容量にリーダライタメモリ９を設計すれば十分となり、必要最小限の記憶容量で実用的にデータの送受信を行うことができる効果がある。特に、タグ２の数が膨大な量となりうるスキーリフト券などにおいては発行する全てのタグ２，２，…のＩＤデータを記憶させる必要がなくなり、その効果は絶大である。
【００２７】
この実施の形態１によれば、各リーダライタ１に設けられ、リーダライタメモリ９から削除されるＩＤデータの抹消信号を送信する抹消通知手段と、各タグ２に設けられ、自分宛ての上記抹消信号を受信した際に認証フラグをクリアするリセット手段とを設けたので、タグ２の認証フラグを初期状態に戻すことができる。従って、記憶領域からＩＤデータを抹消する時にそれと同時にタグ２の認証フラグをクリアするので、次の認証コマンドを受信した際にタグ２はＩＤデータを送信することができ、通信エラーなどにより本来削除されるべきではないタグ２のＩＤデータを誤って削除してしまっても再びそのタグ２を認証することができる効果がある。
【００２８】
実施の形態２．
図１３はこの発明の実施の形態２によるリーダライタメモリ９に記憶される認証テーブルの説明図である。同図に示すように、認証テーブルは、ＩＤデータとともに点呼無応答回数を記憶する無応答回数フラグが各認証ナンバーに対応づけられている。これ以外の構成は実施の形態１と同様であり説明を省略する。
【００２９】
次に動作について説明する。
図１４はこの発明の実施の形態２によるリーダライタ１の点呼処理ステップＳＴ２の詳細なフローを示す点呼処理サブフローチャートである。図において、ＳＴ２４は点呼応答が複数回無かったか否かを判断する点呼応答回数確認ステップであり、ＳＴ３０は無応答回数フラグをインクリメントするインクリメントステップであり、ＳＴ３１は無応答回数フラグをデクリメントするデクリメントステップである。これ以外は図５と同様であり同一のステップ番号を付して説明を省略する。
そして、登録ステップでは、白状態である空き認証フラグがない場合には、この無応答回数フラグが大きい認証ナンバーに新たに応答されたＩＤデータを登録する。また、これ以外の動作は実施の形態１と同様であり説明を省略する。
【００３０】
以上のように、この実施の形態２によれば、抹消手段は、点呼応答が複数回ないと判断した場合に初めてＩＤデータを削除するので、一時的なノイズなどによる通信エラーにより点呼応答が得られなかった場合であっても再度確認をした上で削除することとなり、このような通信エラーなどにより本来削除されるべきではないタグ２のＩＤデータの削除を防止することができる効果（時間的なヒステリシス効果）がある。特に、スキーゲートなどのように複数のリーダライタ１，１，…が併設されているために、各リーダライタ１とタグ２との同期制御を行っているような場合において、信号干渉などにより同期交信が不安定となってしまうようなときがあったとしても、タグを見失わないようにすることができる。
【００３１】
実施の形態３．
図１５はこの発明の実施の形態３によるリーダライタメモリ９に記憶される認証テーブルを示すテーブル説明図である。同図に示すように、この発明の実施の形態３による認証テーブルは、認証ナンバーに対応づけて各ＩＤデータとともにその認証状態を記憶している。また、この認証状態は、ＩＤデータが格納されていない場合と、ＩＤデータが格納されており且つ点呼に応じた場合と、ＩＤデータが格納されているが点呼に応じない場合とで異なる認証状態をとる。ここでは、便宜上、それぞれの状態を「黒」、「白」、「灰」と表記している。
【００３２】
図１６はこの発明の実施の形態３によるリーダライタ１の点呼処理ステップＳＴ２の詳細なフローを示す点呼処理サブフローチャートである。図において、ＳＴ２５は点呼応答があったＩＤデータに対応づけて「白」の認証状態を登録する白色登録処理ステップであり、ＳＴ２６は点呼応答が無かったＩＤデータに対応づけて「灰」の認証状態を登録する灰色登録処理ステップである。これ以外は図５と同様であり同一のステップ番号を付して説明を省略する。
【００３３】
図１７はこの発明の実施の形態３によるリーダライタ１の認証処理ステップＳＴ３の詳細なフローを示す認証処理サブフローチャートである。図において、ＳＴ２７は認証テーブルにすべて「白」の認証状態が登録されているか否かを判断する認証テーブル空き判断ステップであり、ＳＴ２８は空いている認証ナンバー（＝認証状態が「白」でない認証ナンバー）に新たなＩＤデータを「白」の認証状態とともに上書き登録する登録ステップである。これ以外は図６と同様であり同一のステップ番号を付して説明を省略する。また、これ以外の構成及び動作は実施の形態１と同様であり説明を省略する。
【００３４】
以上のように、この実施の形態３によれば、各リーダライタ１に設けられ、リーダライタメモリ９に記憶されたＩＤデータのタグ２を周期的に呼び出す点呼呼出手段と、各タグ２に設けられ、上記点呼呼出に応じて返答する点呼応答手段とを設け、上記応答がないと判断されたＩＤデータには新たに受信したＩＤデータが上書きされるので、データ送受信可能エリア２０内に一度に収容可能なタグ２，２，…の数に応じた必要最小限の記憶容量にてリーダライタメモリ９を構成するだけで、一時的な通信エラーにより点呼応答が得られなかった場合であっても、再度確認をすることができ、しかも、データの送受信を行うことができる効果がある。特に、タグ２，２，…の数が膨大な量となりうるスキーリフト券などにおいては発行する全てのタグのＩＤデータを記憶させる必要がなくなり、その効果は絶大である。
【００３５】
なお、この実施の形態３では、新規ＩＤデータ登録時や認証状態登録時には、単に新たなＩＤデータが発生した場合その登録を行ったりするだけであるが、この新規ＩＤデータ登録時や認証状態登録時においてその登録をするとともに認証データのソーティングを行っても良い。そして、ソーティングの方法としては、例えば、白灰黒の順番となるようにソーティングしたり、灰状態に変化させる場合にその時刻に関連するデータを状態情報とともにもたせて、灰に関しては更に時間降順となるようにソーティングしたりするようにすることが考えられる。
【００３６】
また、この実施の形態３では、新規ＩＤデータの登録ナンバーを特定していないが、例えば、黒状態が無い場合に限って灰状態のナンバーに登録するようにしてもよい。その場合、灰状態の登録ナンバーのうち最も前に灰状態となったＩＤを登録するようにすると好適である。その場合、登録時刻が古いものから消して行けばよい。
【００３７】
【発明の効果】
この発明によれば、各移動局に設けられ、移動局固有のＩＤデータを記憶するＩＤ記憶手段と、各基地局に設けられ、ＩＤデータ送信指令を送信する呼出手段と、各移動局に設けられ、上記ＩＤデータ送信指令を受信した際に上記ＩＤデータを送信する応答手段と、各基地局に設けられ、上記送信されたＩＤデータを受信する受信手段と、各基地局に設けられ、受信したＩＤデータを記憶する認証ＩＤ記憶手段と、各基地局に設けられ、上記認証ＩＤ記憶手段に記憶されたＩＤデータの移動局を周期的に呼び出す点呼呼出手段と、各移動局に設けられ、上記点呼呼出に応じて返答する点呼応答手段とを設け、上記基地局は、上記受信したＩＤデータとともにデータの送受信を行い、上記認証ＩＤ記憶手段は、空き領域が無ければ、上記応答がないと判断したＩＤデータに新たに受信したＩＤデータを上書きするので、基地局は移動局との間でそれ固有のＩＤデータとともにデータの送受信を行うことができ、移動局と個別にデータ送受信を行うことができる。従って、例えば、基地局の通信可能エリア内に複数の移動局が同時に存在したとしても、それぞれに対して別々のデータを送受信することができ、また、移動局からの返信が混信してしまうこともない効果がある。さらに、通信可能エリア内に一度に収容可能な移動局の数に応じた必要最小限の記憶容量にて認証ＩＤ記憶手段を構成するだけで、一時的な通信エラーにより点呼応答が得られなかった場合であっても、再度確認をすることができ、しかも、データの送受信を行うことができる効果がある。特に、移動局の数が膨大な量となりうるスキーリフト券などにおいては発行する全ての移動局のＩＤデータを記憶させる必要がなくなり、その効果は絶大である。
【００３８】
この発明によれば、各移動局に設けられ、移動局固有のＩＤデータを記憶するＩＤ記憶手段と、各基地局に設けられ、ＩＤデータ送信指令を送信する呼出手段と、各移動局に設けられ、基地局からの移動局固有のＩＤデータとともにデータを受信した際に状態が変化する認証フラグと、各移動局に設けられ、上記ＩＤデータ送信指令を受信した際に認証フラグの状態が変化していなければ、上記ＩＤデータを送信する応答手段と、各基地局に設けられ、上記送信されたＩＤデータのうち最も信号レベルの高いものを受信する受信手段と、各基地局に設けられ、受信したＩＤデータを記憶する認証ＩＤ記憶手段と、各基地局に設けられ、上記認証ＩＤ記憶手段に記憶されたＩＤデータの移動局を周期的に呼び出す点呼呼出手段と、各移動局に設けられ、上記点呼呼出に応じて返答する点呼応答手段とを設け、上記基地局は、上記呼出手段、上記受信手段および上記認証ＩＤ記憶手段を周期的に動作させつつ、上記認証ＩＤ記憶手段に記憶されたＩＤデータとともにデータの送受信を行い、上記認証ＩＤ記憶手段は、空き領域が無ければ上記応答がないと判断したＩＤデータに新たに受信したＩＤデータを上書きするので、基地局は移動局との間でそれ固有のＩＤデータとともにデータの送受信を行うことができ、移動局と個別にデータ送受信を行うことができる。従って、例えば、基地局の通信可能エリア内に複数の移動局が同時に存在したとしても、それぞれに対して別々のデータを送受信することができる効果がある。さらに、通信可能エリア内に一度に収容可能な移動局の数に応じた必要最小限の記憶容量にて認証ＩＤ記憶手段を構成するだけで、一時的な通信エラーにより点呼応答が得られなかった場合であっても、再度確認をすることができ、しかも、データの送受信を行うことができる効果がある。特に、移動局の数が膨大な量となりうるスキーリフト券などにおいては発行する全ての移動局のＩＤデータを記憶させる必要がなくなり、その効果は絶大である。
【００４３】
この発明によれば、各基地局に設けられ、認証ＩＤ記憶手段から削除されるＩＤデータの抹消信号を送信する抹消通知手段と、各移動局に設けられ、自分宛ての上記抹消信号を受信した際に認証フラグの状態を戻すリセット手段とを設けたので、移動局の認証フラグを初期状態に戻すことができる。従って、ＩＤデータを抹消する時にそれと同時に移動局の認証フラグをクリアするので、次のＩＤデータ送信指令を受信した際に当該移動局はＩＤデータを送信することができ、通信エラーなどにより本来削除されるべきではない移動局のＩＤデータを誤って削除してしまっても再びその移動局を認証することができる効果がある。
【図面の簡単な説明】
【図１】この発明の実施の形態１によるデータ送受信システムの構成を示すブロック図である。
【図２】この発明の実施の形態１によるリーダライタメモリに記憶される認証テーブルを示すテーブル説明図である。
【図３】この発明の実施の形態１によるタグメモリに記憶されるタグデータを示す説明図である。
【図４】この発明の実施の形態１によるリーダライタの動作を示すメインフローチャートである。
【図５】この発明の実施の形態１によるリーダライタの点呼処理ステップの詳細なフローを示す点呼処理サブフローチャートである。
【図６】この発明の実施の形態１によるリーダライタの認証処理ステップの詳細なフローを示す認証処理サブフローチャートである。
【図７】この発明の実施の形態１によるタグの動作を示すフローチャートである。
【図８】この発明の実施の形態１におけるリーダライタとタグとの間における認証／点呼動作を説明する動作説明図である（その１）。
【図９】この発明の実施の形態１におけるリーダライタとタグとの間における認証／点呼動作を説明する動作説明図である（その２）。
【図１０】この発明の実施の形態１におけるリーダライタとタグとの間における認証／点呼動作を説明する動作説明図である（その３）。
【図１１】この発明の実施の形態１のデータ送受信システムにおいて、ＩＤデータの検波動作を説明する動作説明図である。
【図１２】この発明の実施の形態１によるデータ送受信システムの適用例を示す説明図である。
【図１３】この発明の実施の形態２によるリーダライタメモリに記憶される認証テーブルの説明図である。
【図１４】この発明の実施の形態２によるリーダライタの点呼処理ステップの詳細なフローを示す点呼処理サブフローチャートである。
【図１５】この発明の実施の形態３によるリーダライタメモリに記憶される認証テーブルを示すテーブル説明図である。
【図１６】この発明の実施の形態３によるリーダライタの点呼処理ステップの詳細なフローを示す点呼処理サブフローチャートである。
【図１７】この発明の実施の形態３によるリーダライタの認証処理ステップの詳細なフローを示す認証処理サブフローチャートである。
【図１８】従来のデータ送受信システムを示す構成概念図である。
【符号の説明】
１  リーダライタ（基地局）
２  タグ（移動局）
９  リーダライタメモリ（認証ＩＤ記憶手段）
１３  タグメモリ（ＩＤ記憶手段）
【図１】
0003623373.tif 000002
【図２】
0003623373.tif 000003
【図３】
0003623373.tif 000004
【図４】
0003623373.tif 000005
【図５】
0003623373.tif 000006
【図６】
0003623373.tif 000007
【図７】
0003623373.tif 000008
【図８】
0003623373.tif 000009
【図９】
0003623373.tif 000010
【図１０】
0003623373.tif 000011
【図１１】
0003623373.tif 000012
【図１２】
0003623373.tif 000013
【図１３】
0003623373.tif 000014
【図１４】
0003623373.tif 000015
【図１５】
0003623373.tif 000016
【図１６】
0003623373.tif 000017
【図１７】
0003623373.tif 000018
【図１８】
0003623373.tif 000019